(57)【要約】【課題】遊技盤の複数箇所に風車を取付けるに際し、スペース効率と生産効率に優れた遊技機用の風車取付装置を提供する。【解決手段】各第１風車供給手段２２,２３,２４に整列状態で貯留した各風車Ａ,Ｂ,Ｃの間に臨むよう第１の規制部材２９,２９を複数設け、各第１の規制部材２９,２９を、第２風車供給手段３５への風車Ａ,Ｂ,Ｃの供給を阻止する規制位置と、制御手段５１の制御に基づいて第２風車供給手段３５への風車Ａ,Ｂ,Ｃの供給を許容する許容位置とに変位し得るよう構成する。そして、第２風車供給手段３５を第１風車供給手段２２,２３,２４から風車Ａ,Ｂ,Ｃの供給を受け得る位置に移動させた後に、その第１風車供給手段２２,２３,２４に貯留される各風車Ａ,Ｂ,Ｃの間に臨む第１の規制部材２９,２９を許容位置に変位させることで、任意数の風車Ａ,Ｂ,Ｃを第１風車供給手段２２,２３,２４から第２風車供給手段３５へ供給し得る。【選択図】図４
2005348882.tif 000002
【特許請求の範囲】
【請求項１】
整列状態で貯留した風車の供給を行なう第１風車供給手段と、所定位置に停止した遊技盤の上方に位置し、供給された風車を該遊技盤に取付ける風車取付手段と、複数の風車を一時的に貯留すると共に前記風車取付手段と一体的に移動し、貯留した風車を該風車取付手段へ供給する第２風車供給手段と、前記風車取付手段および第２風車供給手段をＸ−Ｙ座標方向に自在に移動させる移動手段と、前記移動手段に制御指令を与えて、前記第２風車供給手段を第１風車供給手段から風車供給を受け得る位置まで移動させた後に、前記風車取付手段を遊技盤における任意の風車取付位置へ移動させる制御手段とからなる遊技機用の風車取付装置において、
前記第１風車供給手段に整列状態で貯留される各風車の間に臨んで、常には前記第２風車供給手段への風車の供給を阻止し、前記制御手段の制御指令下に駆動されて第２風車供給手段への風車の供給を許容する複数の規制部材を設け、
前記制御手段の制御指令下に、前記第２風車供給手段を前記第１風車供給手段から風車供給を受け得る位置に移動させた後に、その第１風車供給手段に貯留される各風車の間に臨んでいる前記規制部材を駆動することで、任意数の風車を第１風車供給手段から第２風車供給手段へ供給し得るよう構成した
ことを特徴とする遊技機用の風車取付装置。
【請求項２】
前記第１風車供給手段は複数基設けられて、各第１風車供給手段の夫々に異なる種類の風車を整列状態で貯留するよう構成され、前記制御手段は、前記遊技盤に取付ける風車の種類の順序で、前記複数基の第１風車供給手段から前記第２風車供給手段に風車が供給されるよう前記移動手段および規制部材を制御する請求項１記載の遊技機用の風車取付装置。
【発明の詳細な説明】
【技術分野】
【０００１】
本発明は、遊技盤の風車取付位置に風車を取付ける遊技機用の風車取付装置に関するものである。
【背景技術】
【０００２】
パチンコ機やアレンジボール機等の遊技機の遊技盤には、複数の風車が回転可能に取付けられて、該風車に遊技盤上を流下する遊技球が接触することにより、該遊技球の流下方向を変化させて面白みを向上させている。そして、このような風車を遊技盤に取付ける取付作業を自動化した風車取付装置について、多数の提案がなされている(例えば特許文献１または２参照)。
【０００３】
特許文献１に記載された風車取付装置は、載置した遊技盤をＸ―Ｙ座標方向(水平方向)に縦横移動させるテーブルと、該テーブルに載置した遊技盤の上方に位置して、該遊技盤に風車を回転可能に取付ける風車取付部と、該風車取付部に風車を１つずつ供給する複数の風車供給部とを備えている。すなわち、前記テーブルを縦横方向に移動させて遊技盤の風車取付位置を前記風車取付部の下方に臨ませることで、該風車取付部が前記各風車供給部から供給される風車を取付けるようになっている。また、前記複数の風車供給部には、異なる種類の風車を収容するよう構成されており、前記遊技盤の風車取付位置に取付けるべき風車の種類に応じて前記風車取付部に風車を供給する風車供給部を変更することで、１つの遊技盤に異なる種類の風車を取付け得るよう構成されている。
【０００４】
一方、特許文献２に記載された風車取付装置は、遊技盤を一定方向に移送する移送ラインと、風車を整列して給送する第１風車供給部と、移送ラインに位置決め保持した遊技盤上を移動する移動台と、該移動台に配設されて遊技盤に風車を取付ける風車取付部と、移動台に配設されて一時的に複数個の風車を貯留し、貯留した風車を風車取付部に供給する第２風車供給部とを備えている。すなわち、特許文献２の風車取付装置では、前記移送ラインにより移送される遊技盤を所定位置で停止保持したもとで、前記移動台を移動させて前記第１風車供給部から第２風車供給部に所定数の風車を供給した状態で、該移動台を移動させて前記風車取付部を遊技盤上の風車取付位置まで移動することで、該遊技盤の風車取付位置に風車を取付け得るようになっている。
【特許文献１】特開２００１−３７９８１号公報
【特許文献２】特開平７−１７８２１７号公報
【発明の開示】
【発明が解決しようとする課題】
【０００５】
ところで、前述した特許文献１の風車取付装置では、遊技盤を載置したテーブルを水平方向に縦横移動させて、前記風車取付部の下方に遊技盤の風車取付位置が臨むようにする必要があるため、該風車取付装置が占有する面積が大きくなり、設置スペース上の問題がある。また、遊技盤の生産過程においては、ローラコンベア等の移送手段を用いて多数の遊技盤を連続的に供給し、その移送過程で各遊技盤に風車を取付けるのが、生産効率の向上の観点から好ましい。しかし、前述のように、特許文献１の風車取付装置では、遊技盤に風車を取付けるに際して、該遊技盤を水平方向に縦横移動させる必要があるから、該風車取付装置を遊技盤の移送手段とは別に設置し、遊技盤を１つずつ風車取付装置に移し替えなければならず、作業が煩雑になって生産効率の低下を招来する欠点がある。
【０００６】
一方、特許文献２の風車取付装置は、移送ラインを用いて移送した遊技盤を所定位置で位置決め保持し、その状態で風車取付部を移動させて遊技盤の風車取付位置に風車を取付けるよう構成されているから、風車取付装置が占有する面積が大きくなるのを防止し得ると共に、生産効率の向上が図られる。しかしながら、複数の第１風車供給部を設けた場合に、これら第１風車供給部から第２風車供給部に所要数の風車を確実に供給する構成に関しては、特許文献１および２には何ら開示されておらず、両技術を組合わせた具体的な装置について提案されていないのが現状である。
そこで、本発明は、遊技盤の複数箇所に風車を取付けるに際し、スペース効率と生産効率に優れた遊技機用の風車取付装置を提供することを目的とする。
【課題を解決するための手段】
【０００７】
前記課題を克服し、所期の目的を達成するため、本発明に係る遊技機用の風車取付装置は、
整列状態で貯留した風車(A,B,C)の供給を行なう第１風車供給手段(22,23,24)と、所定位置に停止した遊技盤(12)の上方に位置し、供給された風車(A,B,C)を該遊技盤(12)に取付ける風車取付手段(32)と、複数の風車(A,B,C)を一時的に貯留すると共に前記風車取付手段(32)と一体的に移動し、貯留した風車(A,B,C)を該風車取付手段(32)へ供給する第２風車供給手段(35)と、前記風車取付手段(32)および第２風車供給手段(35)をＸ−Ｙ座標方向に自在に移動させる移動手段(38)と、前記移動手段(38)に制御指令を与えて、前記第２風車供給手段(35)を第１風車供給手段(22,23,24)から風車供給を受け得る位置まで移動させた後に、前記風車取付手段(32)を遊技盤(12)における任意の風車取付位置へ移動させる制御手段(51)とからなる遊技機用の風車取付装置において、
前記第１風車供給手段(22,23,24)に整列状態で貯留される各風車(A,B,C)の間に臨んで、常には前記第２風車供給手段(35)への風車(A,B,C)の供給を阻止し、前記制御手段(51)の制御指令下に駆動されて第２風車供給手段(35)への風車(A,B,C)の供給を許容する複数の規制部材(29)を設け、
前記制御手段(51)の制御指令下に、前記第２風車供給手段(35)を前記第１風車供給手段(22,23,24)から風車(A,B,C)供給を受け得る位置に移動させた後に、その第１風車供給手段(22,23,24)に貯留される各風車(A,B,C)の間に臨んでいる前記規制部材(29)を駆動することで、任意数の風車(A,B,C)を第１風車供給手段(22,23,24)から第２風車供給手段(35)へ供給し得るよう構成したことを特徴とする。
【０００８】
また、前記第１風車供給手段(22,23,24)は複数基設けられて、各第１風車供給手段(22,23,24)の夫々に異なる種類の風車(A,B,C)を整列状態で貯留するよう構成され、前記制御手段(51)は、前記遊技盤(12)に取付ける風車(A,B,C)の種類の順序で、前記複数基の第１風車供給手段(22,23,24)から前記第２風車供給手段(35)に風車(A,B,C)が供給されるよう前記移動手段(38)および規制部材(29)を制御する。
【発明の効果】
【０００９】
本発明の請求項１に係る遊技機用の風車取付装置によれば、風車を取付ける風車取付手段を移動可能に構成したことで、遊技盤を所定位置に保持した状態で１つの遊技盤に複数の風車を取付けることができるから、作業効率の向上を図り得る。また、遊技盤に風車を取付けるに際して、該遊技盤を停止保持するようにしたことで、風車取付装置をコンパクトにすることができ、該遊技盤を移動させて風車を取付ける場合と較べて設置スペースを小さくし得る利点がある。更に、第１風車供給手段の夫々に、各風車の間に臨む規制部材を設けたことで、第２風車供給手段を第１風車供給手段から風車供給を受け得る位置に移動させた後に、その第１風車供給手段に貯留される各風車の間に臨んでいる規制部材を駆動することで、任意数の風車を第１風車供給手段から第２風車供給手段へ供給し得る。
【００１０】
そして、請求項２に係る遊技機用の風車取付装置によれば、複数の第１風車供給部に異なる種類の風車を貯留すると共に、遊技盤に取付ける風車の種類および数と、第２風車供給手段に貯留する風車の種類および数とが一致するよう前記移動手段および規制部材を制御するよう構成したことで、遊技盤への風車の取付順序と合致するよう各第１風車供給部から第２風車供給手段に風車を供給し得る。これにより、遊技盤の所定位置に所定の種類の風車を確実に取付けることができ、生産効率の向上を図り得る。
【発明を実施するための最良の形態】
【００１１】
次に、本発明に係る遊技機用の風車取付装置につき、好適な実施例を挙げて、添付図面を参照しながら、以下詳細に説明する。なお実施例では、遊技球としてパチンコ球を使用する一般的なパチンコ機の遊技盤に風車を取付ける風車取付装置を例にして説明する。
【実施例】
【００１２】
(風車取付装置について)
図１または図２に示すように、実施例に係る風車取付装置２０は、遊技盤１２の製造ラインの一部を構成するものであって、遊技盤１２移送用の移送手段１０の移送経路に配置されている。ここで、前記移送手段１０としては、ローラコンベヤやベルトコンベヤ等の従来公知の移送手段１０が採用され、遊技盤１２における表面側(風車取付面側)を上方に向けた状態で、該遊技盤１２を所定方向(図１において上方向)に移送するよう構成されている。そして、前記移送手段１０の移送経路において前記風車取付装置２０により風車を取付ける作業位置には、遊技盤１２を検出するセンサ(図示せず)が配設されており、該センサが遊技盤１２を検出することで、該移送手段１０を停止して作業位置に遊技盤１２を停止保持するようになっている。また、実施例の遊技盤１２では、６箇所の風車取付位置が設定されて、各風車取付位置に、種類の異なる風車Ａ,Ｂ,Ｃの内の何れか１個を取付けるよう構成されている(図３参照)。なお、以下の説明において各風車取付位置については、図３において遊技盤１２の左上方に位置する風車取付位置から反時計回りの順に第１〜第６風車取付位置と指称する。
【００１３】
前記風車取付装置２０は、図１または図２に示すように、前記移送手段１０の側方に併設された装置本体２０ａと、該装置本体２０ａに設けられて多数の風車Ａ,Ｂ,Ｃを貯留可能な複数基(実施例では３基)の第１風車供給手段２２,２３,２４と、前記作業位置に停止した遊技盤１２における各風車取付位置の上方に臨んで、該遊技盤１２に風車Ａ,Ｂ,Ｃを回転可能に取付ける風車取付手段３２と、各第１風車供給手段２２,２３,２４から風車供給を受けて複数の風車Ａ,Ｂ,Ｃを一時的に貯留し、貯留した風車Ａ,Ｂ,Ｃを該風車取付手段３２へ供給する第２風車供給手段３５と、当該風車取付手段３２および第２風車供給手段３５の夫々を一体的に移動させる移動手段３８と、該移動手段３８の動作を制御する制御手段５１(図５参照)とから基本的に構成される。ここで、前記風車取付手段３２は、本体３３の下部に１個の風車Ａ,Ｂ,Ｃを位置決め可能な風車位置決め孔３３ａ(図４参照)が開設されており、該風車位置決め孔３３ａに風車Ａ,Ｂ,Ｃを位置決めするようになっている。また、前記本体３３の上部には、釘供給部３３ｂ(図２参照)が備えられており、該釘供給部３３ｂから供給される釘を前記遊技盤１２に打ち込むことで、前記風車位置決め孔３３ａに保持した風車Ａ,Ｂ,Ｃを遊技盤１２に回転可能に取付けるよう構成されている。
【００１４】
(第１風車供給手段について)
前記第１風車供給手段２２,２３,２４の夫々は、基本的に同一に構成されて、異なる種類の風車Ａ,Ｂ,Ｃを貯留している。図１に示すように、前記第１風車供給手段２２,２３,２４の夫々は、上方開口して多数の風車Ａ,Ｂ,Ｃを貯留可能なタンク２５と、該タンク２５に連通接続してタンク２５内の風車Ａ,Ｂ,Ｃを一列に整列供給する整列部２６とを備える。また、前記各タンク２５は、前記第２風車供給手段３５の配置位置より上方に配設されると共に、前記整列部２６の夫々は、該タンク２５から前記移送手段１０に向けて所定角度で下方傾斜するよう形成されている(図２参照)。すなわち、前記風車Ａ,Ｂ,Ｃは自重により前記整列部２６内を滑り落ちて、該整列部２６の下端部から前記第２風車供給手段３５に供給される。なお、前記各第１風車供給手段２２,２３,２４に設けた前記整列部２６の夫々は、Ｘ軸方向に所定間隔離間して略平行に位置すると共に、その下端部が同一の高さ位置に臨むよう設定してある。
【００１５】
図４に示すように、前記各整列部２６には、該整列部２６内を風車Ａ,Ｂ,Ｃが滑り落ちるのを規制する第１の規制部材(規制部材)２９,２９が複数設けられている。前記各第１の規制部材２９,２９は、前記整列部２６で整列させた風車Ａ,Ｂ,Ｃ間の隙間に臨む一対のピンからなり、前記制御手段５１の制御に基づいて制御される第１の駆動手段３０(図５参照)により、該第１の規制部材２９,２９が上下方向に変位されるよう構成される。また、前記各第１の規制部材２９,２９は、風車Ａ,Ｂ,Ｃが当接する規制位置と、前記第１の駆動手段３０により上方に変位されて、風車Ａ,Ｂ,Ｃとの当接が解除された許容位置とに変位するよう構成されて、常には規制位置に保持されている。
【００１６】
すなわち、前記各第１の規制部材２９,２９が前記規制位置にある状態では、前記第２風車供給手段３５への風車Ａ,Ｂ,Ｃの供給が阻止される一方、該第１の規制部材２９,２９を許容位置に変位することで第２風車供給手段３５へ風車Ａ,Ｂ,Ｃを供給し得る。なお、実施例では、前記各整列部２６に対して第１の規制部材２９,２９が７基設けられており、各整列部２６に最大で６個(すなわち１つの遊技盤１２に取付ける風車Ａ,Ｂ,Ｃの数)の風車Ａ,Ｂ,Ｃを個別に区分した状態で貯留し得るよう構成してある。すなわち、前記制御手段５１の制御に基づいて、各整列部２６の下端部に位置する第１の規制部材２９,２９と、上方に位置する任意位置の第１の規制部材２９,２９を許容位置に変位させることで、任意数の風車Ａ,Ｂ,Ｃを前記第２風車供給手段３５に供給し得るようになっている。具体的には、前記各整列部２６における下端部に位置する第１の規制部材２９,２９を許容位置に変位させることにより、１個の風車Ａ,Ｂ,Ｃが前記第２風車供給手段３５に供給され、該整列部２６の下から２番目までの第１の規制部材２９,２９を許容位置に変位させることにより、１個の風車Ａ,Ｂ,Ｃが前記第２風車供給手段３５に供給されるように、各整列部２６の下からｎ番目(但しｎ≦６)までの第１の規制部材２９,２９を許容位置に変位させることにより、ｎ個の風車Ａ,Ｂ,Ｃを前記第２風車供給手段３５に供給し得るようになっている。
【００１７】
(第２風車供給手段について)
前記第２風車供給手段３５は、図４に示すように、６個(すなわち１つの遊技盤１２に取付ける風車Ａ,Ｂ,Ｃの数)の風車Ａ,Ｂ,Ｃを整列状態で貯留し得る長さ寸法に設定されると共に、前記各第１風車供給手段２２,２３,２４の整列部２６と同一の傾斜角度で傾斜するようになっている。また、前記第２風車供給手段３５の下端部側に、前記風車取付手段３２の風車位置決め孔３３ａが臨むよう設定してある。すなわち、前記整列部２６から第２風車供給手段３５に供給された風車Ａ,Ｂ,Ｃは、自重により該第２風車供給手段３５内を滑り落ちて、前記風車位置決め孔３３ａに供給される。
【００１８】
また、前記第２風車供給手段３５の下端部側には、該第２風車供給手段３５内を風車Ａ,Ｂ,Ｃが滑り落ちるのを規制する第２の規制部材３６,３６が２基設けられている。この第２の規制部材３６,３６の構成は、前述した第１の規制部材２９,２９の構成と基本的に同じであって、第２風車供給手段３５で整列された風車Ａ,Ｂ,Ｃ間の隙間に臨む一対のピンからなり、前記制御手段５１の制御に基づいて制御される第２の駆動手段３７(図５参照)により、該第２の規制部材３６,３６が上下方向に変位されるよう構成される。そして、前記第２の規制部材３６,３６は、常には風車Ａ,Ｂ,Ｃが前記第２風車供給手段３５を滑り落ちるのを規制する規制位置に保持されて、前記制御手段５１の制御に基づいて前記第２の駆動手段３７を駆動することで、該第２風車供給手段３５を風車Ａ,Ｂ,Ｃが滑り落ちるのを許容する許容位置に変位するよう構成される。すなわち、上側に位置する前記第２の規制部材３６を規制位置に保持した状態で、下側に位置する第２の規制部材３６を許容位置に変位させることで、１個の風車Ａ,Ｂ,Ｃを風車位置決め孔３３ａに供給し得るようになっている。
【００１９】
(移動手段について)
前記移動手段３８は、図１に示すように、前記装置本体２０ａに設けられて遊技盤１２の移送方向(Ｘ軸方向)に延在し、前記移送手段１０を挟んで平行に延在する第１および第２ガイドレール３９,４０と、該第１および第２ガイドレール３９,４０に摺動自在に架設されてＹ軸方向に延在し、両ガイドレール３９,４０に沿ってＸ軸方向に水平移動するフレーム４１と、該フレーム４１に摺動自在に配設され、当該フレーム４１に沿ってＹ軸方向に水平移動するスライダ４２とから構成される。なお実施例では、前記第１ガイドレール３９に沿って配設したボールネジ４４を、前記制御手段５１の制御に基づいて第３の駆動手段４５が正逆回転させることで、前記フレーム４１をＸ軸方向に移動させるよう構成される。また、フレーム４１の両端部近傍に回転可能に配設した一対のタイミングプーリ４７,４７に、前記スライダ４２を固定したタイミングベルト４８を掛装して、制御手段５１の制御に基づいて第４の駆動手段４９がタイミングプーリ４７,４７を正逆回転させることで、該スライダ４２をＹ軸方向に移動させようになっている。
【００２０】
図１に示すように、前記スライダ４２には、前記風車取付手段３２および第２風車供給手段３５の夫々を取付けるよう構成されて、前記フレーム４１のＸ軸方向への移動および該スライダ４２のＹ軸方向への移動に伴って、これら風車取付手段３２および第２風車供給手段３５の夫々をＸ軸方向および、Ｙ軸方向に移動させるようになっている。すなわち、前記制御手段５１の制御に基づいて前記フレーム４１およびスライダ４２の夫々をＸ軸およびＹ軸方向に移動させることで、前記風車取付手段３２および第２風車供給手段３５の夫々をＸ−Ｙ座標方向に自在に移動させ得る。具体的には、前記第２風車供給手段３５が前記３基の第１風車供給手段２２,２３,２４から風車供給を受け得る位置と、前記風車取付手段３２が遊技盤１２における第１〜第６風車取付位置の上方に臨む位置とに移動するようになっている。
【００２１】
また、実施例では、前記制御手段５１は、前記風車取付手段３２を常には所定の基準位置(図３参照)に保持するよう前記フレーム４１およびスライダ４２の移動を制御し、遊技盤１２に風車を取付けるに際して、該風車取付手段３２を基準位置から第１〜第６風車取付位置に向けて(すなわち図３に矢線で示す方向)に移動させるよう設定してある。更に、前記制御手段５１は、１つの遊技盤１２への風車Ａ,Ｂ,Ｃの取付が終了してから、次の遊技盤１２が作業位置に到来するまでの間に、前記第２風車供給手段３５を各第１風車供給手段２２,２３,２４から風車供給を受け得る位置に移動させて、該第２風車供給手段３５に風車Ａ,Ｂ,Ｃを供給する制御を行なうようになっている。
【００２２】
〔実施例の作用〕
次に、前述のように構成した遊技盤用の風車取付装置の作用につき説明する。前記移送手段１０により移送される遊技盤１２が前記作業位置まで到来すると、該遊技盤１２を前記センサが検出して移送手段１０が停止され、当該遊技盤１２を作業位置に停止保持する。ここで、前記遊技盤１２が作業位置で停止保持されるまでの間に、前記制御手段５１の制御指令下で前記移動手段３８が作動されて、前記各第１風車供給手段２２,２３,２４(整列部２６)に貯留した風車Ａ,Ｂ,Ｃを前記第２風車供給手段３５に供給する。
【００２３】
(第２風車供給手段への風車供給動作について)
前記第２風車供給手段３５への風車供給動作について説明する。前記第２風車供給手段３５に風車Ａ,Ｂ,Ｃを供給するに際しては、前記風車取付手段３２を基準位置に臨ませた状態から、前記制御手段５１の制御に基づいて前記フレーム４１およびスライダ４２を移動させて、前記第２風車供給手段３５を前記各第１風車供給手段２２,２３,２４の整列部２６から風車供給を受け得る供給位置に順次移動させる。このとき、前記第２風車供給手段３５における下から２番目に位置する第２の規制部材３６は、前記許容位置に変位されている。先ず、風車Ａを貯留した第１風車供給手段２２の整列部２６から風車供給を受け得る供給位置に前記第２風車供給手段３５を移動させ、この整列部２６の下端部に位置する第１の規制部材２９,２９を規制位置から許容位置に変位させることで、該第２風車供給手段３５に１個の風車Ａを供給する(図６(a)参照)。
【００２４】
次いで、前記第２風車供給手段３５を、風車Ｂを貯留した第１風車供給手段２３の整列部２６から風車供給を受け得る供給位置に移動させると共に、この整列部２６の下端部に位置する第１の規制部材２９,２９を規制位置から許容位置に変位させることで、該第２風車供給手段３５に１個の風車Ｂを供給する(図６(b)参照)。そして、１個の風車Ｂを第２風車供給手段３５に供給すると、前記下から２番目に位置する第２の規制部材３６が前記許容位置から規制位置に変位される。更に、前記第２風車供給手段３５を、風車Ｃを貯留した第１風車供給手段２４の整列部２６から風車供給を受け得る供給位置に移動させると共に、この整列部２６における下端部と下から２番目に位置する第１の規制部材２９,２９を規制位置から許容位置に変位させて、該第２風車供給手段３５に２個の風車Ｃを供給する(図６(c)参照)。
【００２５】
次いで、前記第２風車供給手段３５を、風車Ｂを貯留した第１風車供給手段２３の整列部２６から風車供給を受け得る供給位置に再び移動させると共に、この整列部２６の下から２番目に位置する第１の規制部材２９,２９を規制位置から許容位置に変位させて、該第２風車供給手段３５に１個の風車Ｂを供給する(図７(a)参照)。更に、風車Ａを貯留した第１風車供給手段２２の整列部２６から風車供給を受け得る供給位置に、前記第２風車供給手段３５を移動させ、この整列部２６の下から２番目に位置する第１の規制部材２９,２９を規制位置から許容位置に変位させることで、該第２風車供給手段３５に１個の風車Ａを供給し(図７(a)参照)、その後に前記風車取付手段３２を基準位置に移動させて、前記風車取付装置２０の風車供給動作が終了する。なお、風車供給動作が完了すると、前記各第１風車供給手段２２,２３,２４の下端部側の第１の規制部材２９,２９を規制位置に変位したもとで、その他６基の第１の規制部材２９,２９を許容位置に変位させて、タンク２５,２５,２５から風車Ａ,Ｂ,Ｃを補充した後に、６基の第１の規制部材２９,２９を規制位置に変位させ、次の風車供給動作に備えるようになっている。
【００２６】
すなわち、１度の風車供給動作を行なうことで、前記第２風車供給手段３５には、下端部側(風車位置決め孔３３ａ側)から、風車Ａ、風車Ｂ、風車Ｃ、風車Ｃ、風車Ｂ、風車Ａの順で風車Ａ,Ｂ,Ｃが夫々貯留される。そして、前記風車取付手段３２が基準位置に臨むのと略同時、若しくは該風車取付手段３２を基準位置に臨ませた後に、前記遊技盤１２が作業位置で停止保持される。
【００２７】
このように、前記各第１風車供給手段２２,２３,２４の整列部２６の夫々に、各風車Ａ,Ｂ,Ｃの間に臨むよう第１の規制部材２９,２９を設け、各風車Ａ,Ｂ,Ｃを個別に区分したことで、該第１風車供給手段２２,２３,２４に貯留される各風車Ａ,Ｂ,Ｃの間に臨んでいる第１の規制部材２９,２９を駆動して、各第１風車供給手段２２,２３,２４から風車Ａ,Ｂ,Ｃを第２風車供給手段３５へ供給することができる。更に、各第１風車供給手段２２,２３,２４において前記第１の規制部材２９,２９を規制位置から許容位置に変位させる数を変更することで、前記第２風車供給手段３５に供給する風車Ａ,Ｂ,Ｃの数を任意に変更することができるから、複数個の風車Ａ,Ｂ,Ｃを一度に第２風車供給手段３５に供給する場合(実施例では風車Ｃを供給する場合)であっても、短時間で作業を完了し得る利点がある。
【００２８】
(遊技盤への風車取付動作について)
次に、前記第２風車供給手段３５に一時的に貯留した風車Ａ,Ｂ,Ｃ,Ｃ,Ｂ,Ａの遊技盤１２(第１〜第６風車取付位置)への取付動作について説明する。前記第２風車供給手段３５への風車Ａ,Ｂ,Ｃ,Ｃ,Ｂ,Ａの供給が終了して、前記遊技盤１２が作業位置に停止保持されると、前記制御手段５１の制御に基づいて前記移動手段３８が前記風車取付手段３２を第１風車取付位置から第６風車取付位置に順に移動させる。先ず、前記風車取付手段３２が第１風車取付位置の上方に臨むと前記移動手段３８が停止されると共に、前記第２風車供給手段３５の下端部に位置する第２の規制部材３６が規制位置から許容位置に変位されて、該第２風車供給手段３５の下端部側に位置する風車Ａが前記風車位置決め孔３３ａに供給される。そして、前記釘供給部３３ｂから供給される釘により、前記風車Ａが前記第１風車取付位置に回転可能に取付けられる。
【００２９】
このとき、前記第２風車供給手段３５内の残り５個の風車Ｂ,Ｃ,Ｃ,Ｂ,Ａは、下から２番目に位置する第２の規制部材３６により位置規制されるから、これら風車Ｂ,Ｃ,Ｃ,Ｂ,Ａが前記風車位置決め孔３３ａに向けて滑り落ちることはない。そして、風車Ａの取付が完了すると、前記第２風車供給手段３５における下端部側に位置する前記第２の規制部材３６が規制位置に変位すると共に、下から２番目に位置する第２の規制部材３６が規制位置から許容位置に変位される。すなわち、前記残り５個の風車Ｂ,Ｃ,Ｃ,Ｂ,Ａは、前記第２風車供給手段３５内を自重により滑り落ちて下端部側の第２の規制部材３６に当接して位置規制されて、その後に下から２番目に位置する前記第２の規制部材３６が規制位置に変位される。
【００３０】
前記第１風車取付位置に風車Ａを取付けると、前記制御手段５１の制御に基づいて前記移動手段３８により前記風車取付手段３２を第２風車取付位置に移動させる。なお、前記第２〜第６風車取付位置における前記第２風車供給手段３５の第２の規制部材３６の動作は、基本的に前述した第１風車取付位置への風車Ａの取付動作の場合と同一なので、詳細な説明は省略する。すなわち、第２風車供給手段３５が前記第２〜第６風車取付位置の上方に臨むと前記移動手段３８が停止されると共に、前述の第１風車取付位置への風車Ａの取付けの場合と同様に、前記第２風車供給手段３５の下端部に位置する第２の規制部材３６を規制位置から許容位置に変位させて、該第２風車供給手段３５の下端部側に位置する風車Ｂ,Ｃ,Ｃ,Ｂ,Ａを前記風車位置決め孔３３ａに供給し、下端部側に位置する風車Ｂ,Ｃ,Ｃ,Ｂ,Ａを第２〜第６風車取付位置に取付ける。具体的には、第２風車取付位置では風車Ｂ、第３および第４風車取付位置では風車Ｃ、第５風車取付位置では風車Ｂ、第６風車取付位置では風車Ａが前記風車位置決め孔３３ａに夫々供給されて、各風車取付位置に回転可能に取付けられる。また、第１〜第６風車取付位置に風車Ａ,Ｂ,Ｃを取付けてから、次の遊技盤１２が作業位置に停止保持されるまでの間に、前述した第２風車供給手段３５への風車供給動作がなされて、該第２風車供給手段３５に風車Ａ,Ｂ,Ｃが供給される。
【００３１】
このように、前記第１〜第６風車取付位置では、前記第２風車供給手段３５の最も下方に位置する風車が前記風車取付手段３２の風車位置決め孔３３ａに供給されて遊技盤１２に取付けられる。ここで、前記第２風車供給手段３５には、前述のように下側から風車Ａ、風車Ｂ、風車Ｃ、風車Ｃ、風車Ｂ、風車Ａの順で貯留するようにしたから、第１〜第６風車取付位置の夫々に、所定の風車Ａ,Ｂ,Ｃを取付けることができる。すなわち、前記遊技盤１２の第１〜第６風車取付位置に取付ける風車Ａ,Ｂ,Ｃの種類および取付順序と一致するように、各第１風車供給手段２２,２３,２４から前記第２風車供給手段３５に風車Ａ,Ｂ,Ｃを供給するよう構成したことで、遊技盤１２における所定の風車取付位置に効率よく所定の種類の風車Ａ,Ｂ,Ｃを確実に取付けることができる。
【００３２】
更に、実施例の風車取付装置２０では、前記第２風車供給手段３５に複数の風車Ａ,Ｂ,Ｃを貯留した状態で前記風車取付手段３２および第２風車供給手段３５を移動させるよう構成したから、遊技盤１２を所定の作業位置で保持した状態で、１つの遊技盤１２に複数の風車を取付けることができ、作業効率の向上を図り得る。ここで、前記第２風車供給手段３５に、１つの遊技盤１２に取付ける風車Ａ,Ｂ,Ｃの数(すなわち６個)と同数の風車Ａ,Ｂ,Ｃを貯留し得るよう構成したことで、該第２風車供給手段３５に一度風車Ａ,Ｂ,Ｃを最大数まで補充するだけで、１つの遊技機１２に全ての風車Ａ,Ｂ,Ｃを取付けることができる。すなわち、遊技盤１２の各風車取付位置に風車Ａ,Ｂ,Ｃを取付けている途中で、前記第２の風車供給手段３５に風車Ａ,Ｂ,Ｃを補充するために各第１風車供給手段２２,２３,２４から風車供給を受け得る位置まで戻る必要がないから、作業効率の向上をより一層図り得る。
【００３３】
更に、前記風車取付手段３２および第２風車供給手段３５を移動させるよう構成することで、遊技盤１２に風車Ａ,Ｂ,Ｃを取付けるに際して該遊技盤１２を作業位置で停止保持すればよいから、従来のように遊技盤１２を平面方向に移動させて風車Ａ,Ｂ,Ｃを取付けるよう構成した場合と較べて、風車取付装置２０をコンパクトにすることができ、該装置２０の設置スペースを小さくし得る利点がある。従って、実施例に係る風車取付装置２０であれば、スペースの限られた場所に好適に設置可能で、スペースの有効利用を図り得るようになる。
【００３４】
また、実施例では、１台の遊技盤１２における第１〜第６風車取付位置に所定の風車Ａ,Ｂ,Ｃが取付けられると、前記移送手段１０が作動して次の遊技盤１２が作業位置まで移送され、該遊技盤１２が作業位置に停止保持されるまでの間に、前述した第２風車供給手段３５への風車供給動作がなされて、該第２風車供給手段３５に風車Ａ,Ｂ,Ｃを供給するようになっている。すなわち、新たな遊技盤１２が作業位置まで到来するまでに、この遊技盤１２に風車Ａ,Ｂ,Ｃを風車取付手段３２が取付け得る状態にすることで、連続的に風車Ａ,Ｂ,Ｃの取付作業を行なうことができ、作業効率が向上される利点がある。
【００３５】
〔変更例〕
なお、本発明に係る遊技機用の風車取付装置としては、前述した実施例のものに限られるものではなく、種々の変更が可能である。例えば、第１風車供給手段の設置数としては実施例の３基に限られるものではなく、１基または２基以上の任意数の第１風車供給手段を設置することも可能である。また、実施例では、複数基の第１風車供給手段の夫々に異なる種類の風車を貯留するようにしたが、全ての第１風車供給手段に同一の風車を貯留するようにしてもよい。このように、複数の第１風車供給手段に同一種類の風車を貯留するよう構成すれば、該第１風車供給手段への風車の補充頻度を低減し得るから、作業者の作業負担の軽減を図り得る利点がある。なお、複数設けた第１風車供給手段の内の一部の第１風車供給手段に異なる種類の風車を貯留することも可能である。
【００３６】
また、実施例では、各第１風車供給手段(整列部)に貯留した風車を位置規制する規制部材(第１の規制部材)を７基設けたが、２基以上の規制部材を設けるようにすれば、該第１風車供給手段(整列部)に貯留した風車の一部だけを第２風車供給手段に供給することが可能となる。また、前記第１風車供給手段に貯留した風車を、前記規制部材で個別に区分するようにしたが、該規制部材で風車を任意数毎に区分するようにしてもよく、この場合には、１基の規制部材を規制位置から許容位置に変位させた際に、複数個の風車を一度に供給することができる。また、前記第１風車供給手段に整列状態で貯留する風車の数は任意に設定することができ、実施例のように、該第１風車供給手段に貯留する風車の数を、１つの遊技盤に取付ける風車の数と同数の風車を貯留し得るようにすることで、１つの遊技盤に取付けられる風車が全て同一種類の場合に、第２風車供給手段に対して必要数の風車を一度に補充することができるから、作業効率の向上を図り得る利点がある。
【００３７】
なお、遊技盤の風車取付位置に関しても、実施例の位置および数に限られるものではなく、所要に応じて任意数の風車取付位置を任意位置に設定するようにすればよい。この場合に、前記制御手段の制御に基づいて、前記移動手段が前記風車取付手段を最短経路で各風車取付位置に移動させると共に、該遊技盤に取付ける風車の種類の順序で、各第１風車供給手段から前記第２風車供給手段に風車が供給されるよう移動手段および規制部材を制御するようにすれば、遊技盤の所定位置に所定の種類の風車を確実に取付けることができ、生産効率の向上を図り得る。また、実施例では、風車取付装置によりパチンコ機の遊技盤に風車を取付けるようにしたが、アレンジボール機等の遊技盤に風車を取付けるようにしてもよい。
【００３８】
〔付記〕
なお、本発明に係る遊技機用の風車取付装置の具体的構成としては、以下のような限定が可能である。
(a) 請求項１または２記載の遊技機用の風車取付装置に関して、前記第２風車供給手段(35)に貯留し得る風車(A,B,C)の数を、１つの遊技盤(12)に取付ける風車(A,B,C)の数と同数にした。
このように、第２風車供給手段に、１つの遊技盤に取付ける風車の数と同数の風車を貯留し得るようにしたことで、第２風車供給手段に風車を一度補充するだけで、１つの遊技機に全ての風車を取付け得るから、作業効率の向上を図り得る。
【００３９】
(b) 前記(a)記載の遊技機用の風車取付装置に関して、前記各第１風車供給手段(22,23,24)に整列させ得る風車(A,B,C)の数を、１つの遊技盤(12)に取付ける風車(A,B,C)の数と同数にした。
このように、第１風車供給手段に、１つの遊技盤に取付ける風車の数と同数の風車を貯留し得るようにすることで、１つの遊技盤に取付けられる風車が全て同一種類の場合であっても、第２風車供給手段に風車を一度に補充することができるから、作業効率の向上を図り得る。
【図面の簡単な説明】
【００４０】
【図１】本発明の実施例に係る風車取付装置を示す平面図である。
【図２】実施例に係る風車取付装置を、移送手段の上流側から見た状態で示す側面図である
【図３】実施例に係る遊技盤を示す平面図である。
【図４】実施例に係る第２風車供給部を、各第１風車供給部の整列部から風車供給を受け得る位置に移動させた状態を示す概略図である。
【図５】実施例に係る制御装置と、第１風車供給手段と、移動手段と風車取付手段と第２風車供給手段とを示すブロック図である。
【図６】実施例に係る各第１風車供給手段から第２風車供給手段に風車を供給する状態を示す概略図である。
【図７】実施例に係る各第１風車供給手段から第２風車供給手段に風車を供給する状態を示す概略図である。
【符号の説明】
【００４１】
１２  遊技盤
２２  第１風車供給手段
２３  第１風車供給手段
２４  第１風車供給手段
２９  第１の規制部材(規制部材)
３２  風車取付手段
３５  第２風車供給手段
３８  移動手段
５１  制御手段
Ａ  風車
Ｂ  風車
Ｃ  風車
【図１】
2005348882.tif 000003
【図２】
2005348882.tif 000004
【図３】
2005348882.tif 000005
【図４】
2005348882.tif 000006
【図５】
2005348882.tif 000007
【図６】
2005348882.tif 000008
【図７】
2005348882.tif 000009